(57)【要約】      （修正有）【課題】レンズを備えるフロント部に左右のエンドピースを介して一対のテンプルが設けられた眼鏡において、装着時の位置ズレや脱落を防止でき、ヒンジレス眼鏡とする場合にテンプルの折り畳みが困難となるのを防止でき、装着や取り外しが容易な眼鏡を提供する。【解決手段】テンプル５は、装着者１００の耳掛け位置Ｐ後方で頭部の一部と接触するように延出され、(1)〜(3)式の少なくとも一つを満足する長さに形成されている。１６０≦Ｌａ≦２００(1)、但し、Ｌａ：エンドピース４の後端からテンプル５の後端までの長さ（ｍｍ）、Ｌｆ≦Ｌｒ(2)、但し、Ｌｆ：耳掛け位置Ｐからの前半長、Ｌｒ：耳掛け位置Ｐからの後半長、０＜Ｈｒ＜Ｈｃ(3)、但し、Ｈｒ：装着時におけるテンプル後端間の距離、Ｈｃ：耳掛け位置Ｐの左右間隔【選択図】図１
2012226144.tif 000002
【特許請求の範囲】
【請求項１】
左右一対のレンズを備えるフロント部に対し当該フロント部の左右両側からエンドピースを介して後方へ延びる一対のテンプルが設けられた眼鏡において、
前記テンプルは、装着者の耳掛け位置を超えて当該耳掛け位置の後方で頭部の一部と接触するように延出されており、且つ下記（１）〜（３）式の少なくとも一つを満足するようなテンプル長さに形成されていることを特徴とする眼鏡。
・  １６０≦Ｌａ≦２００    （１）
但し、Ｌａ：エンドピース後端からテンプル後端までの長さ（ｍｍ）
・  Ｌｆ≦Ｌｒ    （２）
但し、Ｌｆ：耳掛け位置からエンドピースまでの前半長
Ｌｒ：耳掛け位置からテンプル後端までの後半長
・  ０＜Ｈｒ＜Ｈｃ    （３）
但し、Ｈｒ：装着時におけるテンプル後端間の距離
Ｈｃ：装着者の耳掛け位置の左右間隔
【請求項２】
前記テンプルは、
前記エンドピースに対してヒンジレスで連結されて当該テンプルの略全長にわたって一体に延伸された芯材と、
この芯材の後端から前方へ向けて外挿されて芯材の後端をも包み込み且つエンドピースの後端まで達するチューブ状のテンプル外装と、
を有していることを特徴とする請求項１に記載の眼鏡。
【請求項３】
前記芯材は、
装着者のこめかみ位置又はそれより前方に対応する領域で肉厚を厚くした非屈曲部と、
少なくとも耳掛け位置を含めた後方に対応する領域で前記非屈曲部よりも肉厚を薄くすることによって左右の相互近接方向へ向けたバネ力を生起させる弾性屈曲部とを有しており、
この芯材に外挿されたテンプル外装の前端部が芯材の前記非屈曲部に対応する位置で取付ビスにより固定されている
ことを特徴とする請求項２に記載の眼鏡。
【請求項４】
前記芯材には、前記テンプル外装の前端部に対応する位置に左右方向へ貫通するボス孔が形成されており、
前記テンプル外装には、前記芯材のボス孔と合致する位置に対して左右方向の内面側に内側孔が形成され且つ左右方向の外面側に外側孔が形成されており、
前記テンプル外装の内側孔には芯材のボス孔へ向けて取付ビスが挿入され、
前記テンプル外装の外側孔及び前記芯材のボス孔には前記取付ビスと螺合するナット部材が挿入され、
前記ナット部材の左右方向外端にはビス軸まわりで非回転対称となるように周外へ張り出す装飾チップが設けられている
ことを特徴とする請求項２又は請求項３記載の眼鏡。
【請求項５】
前記テンプル外装の外側孔は、前記ナット部材の装飾チップを回転不能に嵌め入れる開口形状に形成されていることを特徴とする請求項４記載の眼鏡。
【発明の詳細な説明】
【技術分野】
【０００１】
本発明は、眼鏡に関するものである。
【背景技術】
【０００２】
一般に眼鏡は、左右一対のレンズを備えるフロント部に対して、その左右両側にエンドピースが設けられていると共に、これら左右のエンドピースから、それぞれ後方へ延びる左右一対のテンプルが設けられることで構成されている。眼鏡には、エンドピースとテンプルとの連結部分をヒンジレスにしたものがある。このヒンジレス眼鏡では、非装着時においてテンプルを折り畳むことができるようにするために、エンドピースとテンプルとの間に薄板材を設けたり（特許文献１参照）、左右外方へ膨らむ湾曲部分を設けたり（特許文献２参照）している。これら薄板材や湾曲部分を含むテンプルの主要素材には、屈曲性及び屈曲を元に戻す弾性が豊富なβーチタンなどの金属材が用いられている。
【先行技術文献】
【特許文献】
【０００３】
【特許文献１】特開平１０−３９２６１号公報
【特許文献２】特開２００２−３５０７８４号公報
【発明の概要】
【発明が解決しようとする課題】
【０００４】
ヒンジレス眼鏡に限らず、あらゆるタイプの眼鏡においては、装着者の頭部に対して眼鏡が位置ズレしたり脱落したりしないようにするための工夫が種々様々に採り入れられている。ただ多くの場合、このための工夫は、左右のテンプルで装着者の頭部を挟み込む作用（左右方向の挟持力）を強くする点に主眼をおいている。
左右のテンプルによる挟持力を強めさせるためには、左右のテンプル間に設定した初期の相互間隔（装着者の頭部を挟み込む前の間隔）が、装着により広げられた形状に変形してしまわないように、テンプルの腰（曲がりに抗する硬さ）を強くさせることになる。
【０００５】
しかし、殊に前記したヒンジレス眼鏡においてテンプルの腰を強くしようとすると、薄板材や湾曲部分についても左右方向外方へ屈曲しないように対策を講じる必要が生じ、その結果、薄板材や湾曲部分の屈曲性を低下させざるを得なくなる。従って、テンプルを折り畳むことが困難となるおそれがあった。
また場合によっては、テンプルの薄板材や湾曲部分に対し、左右方向内方へ向かうバネ力を強くすることも考えられるが、この場合、非装着時のテンプルは、薄板材や湾曲部分を支点に、フロント部の裏側へ略９０°に折り曲がった状態を維持するようになる。すなわち、左右のテンプルがそれらの長手方向中央部を互いに交差させながら、フロント部の裏側に張り付くようになってしまうので、装着時にはいちいち、左右のテンプルを左右方向外方へ大きく広げてから、装着する必要が生じ、装着が面倒になるおそれがある。
【０００６】
本発明は、上記事情に鑑みてなされたものであって、装着時の位置ズレや脱落を確実に防止して安定した装着ができるようにし、またヒンジレス眼鏡とする場合にあってはテンプルの折り畳みが困難となるのを防止し、且つ装着や取り外しが面倒になるのを防止できるようにした眼鏡を提供することを目的とする。
【課題を解決するための手段】
【０００７】
前記目的を達成するために、本発明は次の手段を講じた。
即ち、本発明は、左右一対のレンズを備えるフロント部に対し当該フロント部の左右両側からエンドピースを介して後方へ延びる一対のテンプルが設けられた眼鏡において、前記テンプルは、装着者の耳掛け位置を超えて当該耳掛け位置の後方で頭部の一部と接触するように延出されており、且つ下記（１）〜（３）式の少なくとも一つを満足するようなテンプル長さに形成されていることを特徴とする。
【０００８】
・１６０≦Ｌａ≦２００    （１）
但し、Ｌａ：エンドピース後端からテンプル後端までの長さ（ｍｍ）
・Ｌｆ≦Ｌｒ    （２）
但し、Ｌｆ：耳掛け位置からエンドピースまでの前半長
Ｌｒ：耳掛け位置からテンプル後端までの後半長
・０＜Ｈｒ＜Ｈｃ    （３）
但し、Ｈｒ：装着時におけるテンプル後端間の距離
Ｈｃ：装着者の耳掛け位置の左右間隔
前記テンプルは、前記エンドピースに対してヒンジレスで連結されて当該テンプルの略全長にわたって一体に延伸された芯材と、この芯材の後端から前方へ向けて外挿されて芯材の後端をも包み込み且つエンドピースの後端まで達するチューブ状のテンプル外装と、を有したものとするのが好適である。
【０００９】
また、前記芯材は、装着者のこめかみ位置又はそれより前方に対応する領域で肉厚を厚くした非屈曲部と、少なくとも耳掛け位置を含めた後方に対応する領域で前記非屈曲部よりも肉厚を薄くすることによって左右の相互近接方向へ向けたバネ力を生起させる弾性屈曲部とを有しており、この芯材に外挿されたテンプル外装の前端部が芯材の前記非屈曲部に対応する位置で取付ビスにより固定されたものとするのが好適である。
【００１０】
更に、前記芯材には、前記テンプル外装の前端部に対応する位置に左右方向へ貫通するボス孔が形成されており、前記テンプル外装には、前記芯材のボス孔と合致する位置に対して左右方向の内面側に内側孔が形成され且つ左右方向の外面側に外側孔が形成されており、前記テンプル外装の内側孔には芯材のボス孔へ向けて取付ビスが挿入され、前記テンプル外装の外側孔及び前記芯材のボス孔には前記取付ビスと螺合するナット部材が挿入され、前記ナット部材の左右方向外端にはビス軸まわりで非回転対称となるように周外へ張り出す装飾チップが設けられたものとするのが好適でる。
【００１１】
この場合、前記テンプル外装の外側孔は、前記ナット部材の装飾チップを回転不能に嵌め入れる開口形状に形成されたものとするのが好適である。
【発明の効果】
【００１２】
本発明に係る眼鏡では、装着時の位置ズレや脱落を確実に防止して安定した装着ができるものであり、またヒンジレス眼鏡とする場合にあってはテンプルの折り畳みが困難となるのを防止し、且つ装着や取り外しが面倒になるのを防止できるものである。
【図面の簡単な説明】
【００１３】
【図１】本発明に係る眼鏡の装着状態を示す平面図である。
【図２】非装着時における眼鏡の平面図である。
【図３】図２のＡ−Ａ線矢視図である。
【図４】（ａ）は図２のＢ−Ｂ線矢視図であり（ｂ）は図２のＣ−Ｃ線矢視図であり（ｃ）は（ｂ）について芯材の配置を判りやすく示した側面図である。
【図５】図２のＤ部を拡大して示した平面断面図である。
【図６】図４（ｃ）のＥ−Ｅ線断面図である。
【発明を実施するための形態】
【００１４】
以下、本発明の実施の形態を、図面に基づき説明する。
図１乃至図６は、本発明に係る眼鏡１の第１実施形態を示している。なお、以下の説明では、図１の上下方向をこの眼鏡１の前後方向と言い、図１の左右方向をこの眼鏡１の左右方向又は幅方向と言う。
この眼鏡１は、左右一対のレンズ２，２を備えるフロント部３に対して、その左右両側にエンドピース４，４が設けられていると共に、これら左右のエンドピース４，４から、それぞれ後方へ延びる左右一対のテンプル５，５が設けられることで構成されている。
【００１５】
エンドピース４は、フロント部３に対してテンプル５を折り畳んだり開いたりしても、それ自体（エンドピース４自体）に曲がりや変形が生じない程度に剛性を有したものであり、例えば金属製とされて、フロント部３の正面（前面）側から後方へ向けて略９０°に曲がった形状に形成されている。このエンドピース４の後端で、テンプル５が連結された状態になっている。
【００１６】
なお、図例のフロント部３は、レンズ２の外周を取り囲むレンズ枠が無く、左右のレンズ２，２がそれらの間にブリッジ部６を介してビス等により直接に連結されていると共に、左側のレンズ２の左部、及び右側のレンズ２の右部に対して、それぞれエンドピース４がビス等により直接取り付けられた構造のものを示している。しかし、フロント部３は、レンズ２の上周部又は下周部を半周するか、或いは全周を取り囲むようなレンズ枠が設けられた構造のものでもよく、この場合には、レンズ枠とエンドピース４とが一体形成又はロウ付け等によって設けられるようにしてもよい。
【００１７】
ところで、装着者１００が眼鏡１を装着する際には、テンプル５を耳１０１の上方へ差し込むようにするが、このときテンプル５の下辺部が耳１０１の上部（多くの場合は耳付け根の上向き面のうち最も高位となる位置）を乗り越えるに際して、当該耳１０１と当接するようになる。このように、耳１０１においてテンプル５が当接する位置を、本明細書では「耳掛け位置Ｐ」と定義する。テンプル５には、耳掛け位置Ｐに当接したときにテンプル５が簡単に前方移動しないようにするため、図４に示すように、耳１０１の上周部に合わて下辺部を湾曲させた耳掛け部７を形成してもよい。但し、この耳掛け部７は必ずしも必要ではなく、形成しなくてもよい。
【００１８】
本発明に係る眼鏡１において、テンプル５は一般に流通する眼鏡に備えられたテンプルよりも長く形成されている。すなわち、眼鏡１の装着時において、テンプル５は、装着者１００の耳掛け位置Ｐを超えて、この耳掛け位置Ｐの後方で装着者１００の頭部の一部と接触する（以下ではこの接触位置のことを、後頭部の側面から後面を含めて「後頭側面Ｒ」と言う）ように延出されている。
【００１９】
このようにテンプル５を長くすることで、本発明に係る眼鏡１では、装着者１００の頭部を左右方向の挟持力だけでなく、フロント部３と後頭側面Ｒとの間で前後方向移動を阻止する係止力、即ち、『ホールド性』が現れるようにしている。このようなホールド性が得られることにより、装着時の位置ズレや脱落が確実に防止されるという効果が生じる。この効果は、装着者１００が激しい運動をしたり、或いは頭部を上下左右に揺すったり回したりしたときでも、発揮されるものであり、左右方向の挟持力だけに依存した従来の短テンプル仕様の眼鏡とは比較にならない安定さを示すことになる。
【００２０】
テンプル５の具体的な長さは、下記（１）式を満足するようなテンプル長さとして形成するのがよい。すなわち、
１６０≦Ｌａ≦２００    （１）
但し、ここにおいてＬａは、エンドピース４の後端からテンプル５の後端までの長さ（ｍｍ）とする（図１参照）。従来の眼鏡に備えられる短テンプルでは、そのテンプル長さが、成人男性用で１４３〜１４８ｍｍ程度とされ、また成人女性用で１３７ｍｍ程度とされている（いずれも数ミリの数値範囲を含む）ことに比較すれば、本発明においてどの程度の長大化がされているかが明らかである。
【００２１】
なお、従来のテンプル長さとの比較においては、テンプル５のテンプル長さＬａを１５０ｍｍ程度以上とすることでも、前記した位置ズレ防止や脱落防止の効果を得ることはできる。ただ、確実な効果を得るためには、テンプル長さＬａを１６０ｍｍ以上とするのが好適であることが実験により確かめられている。このことから、装着者１００の頭部サイズによっては、テンプル長さＬａの下限を１５０〜１６０ｍｍの間に設定することも不適というわけではない。
【００２２】
また、テンプル５のテンプル長さＬａが２００ｍｍを超える場合、装着時において左右のテンプル５が後端部同士を当接又は交差させるおそれが生じ、これによって後頭側面Ｒとの接触が起こらないことがあり得るため、好適とは言えない。本第１実施形態では、テンプル長さＬａは１７１ｍｍとした。
また、テンプル５の具体的な長さは、下記（２）式を満足するようなテンプル長さとして形成するのがよい。すなわち、
Ｌｆ≦Ｌｒ    （２）
但し、ここにおいてＬｆは、耳掛け位置Ｐからエンドピース４までの前半長であり、Ｌｒは、耳掛け位置Ｐからテンプル５の後端までの後半長である（図１参照）。このように、テンプル５が長いという意味は、前半長Ｌｆに比べて、後半長Ｌｒが同等以上の長さを有していることを言う。これにより、後半長Ｌｒの可及的後方で後頭側面Ｒとの接触部を生じさせることができる。そのため、装着者１００の頭部に対する眼鏡１のホールド性を、前後方向で可及的に長くして生じさせることができて安定性が増すことになる。従来の眼鏡に備えられる短テンプルでは、後半長Ｌｒが前半長Ｌｆより遙かに短いため、耳１０１の裏側と接触させるのがせいぜいであり、眼鏡の装着時における安定効果が乏しい原因となっている。
【００２３】
更に、テンプル５の具体的な長さは、下記（３）式を満足するようなテンプル長さとして形成するのがよい。すなわち、
０＜Ｈｒ＜Ｈｃ    （３）
但し、ここにおいてＨｒは、装着時における左右のテンプル５の後端間の距離であり、Ｈｃは、装着者１００の耳掛け位置Ｐの左右間隔である（図１参照）。すなわち、従来の眼鏡に備えられる短テンプルでは、テンプルの後端間距離Ｈｒが耳掛け位置Ｐの左右間隔Ｈｃと略同じであるが、Ｈｒ＜Ｈｃとなるまでテンプル５を後方へ延ばせば、結果としてテンプル５が長くなっていることを意味することになる。言うまでもなく、０≧Ｈｒでは装着時において左右のテンプル５が後端部同士を当接又は交差させることを意味するので、好適とは言えない。
【００２４】
図４乃至図６に示すように、本第１実施形態において、テンプル５は、芯材１０と、この芯材１０を外装するチューブ状のテンプル外装１１とを有している。
芯材１０は、その前端部がエンドピース４の後端部に対してロウ付け等により連結されており、この連結部には蝶番が無い、ヒンジレス構造とされている。また、この芯材１０は、テンプル５の略全長にわたる長さとなるように、長手方向で一体に延伸形成されたものとなっている。この芯材１０は、例えば、βーチタン、形状記憶合金、鋼材、ワイヤー（ナマラーズ、ゴムメタル、パワーチタン等と俗称されるもの）等の金属材や、形状記憶樹脂、炭素繊維、ナイロン系等の樹脂材などによって形成することができる。
【００２５】
図６に示すように、芯材１０には、肉厚の分厚い部分と薄い部分とが長手方向に分かれて配置されている。このうち、芯材１０の前寄りであって、装着時に装着者１００のこめかみ位置又はそれより前方（図１の符号Ｔ参照）に対応する領域には、肉厚を厚くした非屈曲部１５が形成されている。また、芯材１０の中央から後方であって、装着時に装着者１００の耳掛け位置Ｐを含めた後方に対応する領域には、非屈曲部１５よりも肉厚を薄くした弾性屈曲部１６が形成されている。
【００２６】
非屈曲部１５は、左右方向への変形が生じにくい程度に厚肉化された部位であり、また弾性屈曲部１６は、左右の相互近接方向へ向けたバネ力が生起する程度に薄肉化された部位である。なお、いずれも作用を重視したもので具体的な数値（厚さ）が限定されるものではない。
図例では、非屈曲部１５の後方全部を弾性屈曲部１６として形成させてある。また、この弾性屈曲部１６の後端部に、非屈曲部１５と同等以下の厚さになる制限内で厚肉化した後端補強部１７を形成させてある。一例としての具体的数値を挙げれば、非屈曲部１５の厚さを１．５ｍｍ、後端補強部１７を除いた弾性屈曲部１６の厚さを０．５ｍｍ、後端補強部１７の厚さを０．９ｍｍとしている。
【００２７】
なお、弾性屈曲部１６には、図２にテンプル５を実線で示してあるように、左右方向内方へ向けて緩くカーブする形状を常態とすべく曲がり癖を付与してあり、眼鏡１の非使用時には、左右のテンプル５，５の後端部寄りを互いに交差させて、収納や携帯に好都合となるようにしてある。また、テンプル５が緩くカーブしているので、フロント部３との間に手指を差し込む空間が生じており、眼鏡１の装着時には、テンプル５を略直線状とすべく左右外方へ広げるのが容易となっている。
【００２８】
そして、弾性屈曲部１６に生じさせたバネ力に伴い、テンプル５は図２に二点鎖線で示すように、上記した常態から左右方向の内方及び外方へ曲がる豊富な屈曲性を有するものであり、またこの屈曲状態から元の常態へ戻る確実な復元力を有したものとなっている。このような復元力が、装着時におけるしっかりとした左右方向の挟持力を生起することになる。
【００２９】
一方、テンプル外装１１は、上記のような芯材１０に対してその後端から前方へ向けて外挿されるようになっている。テンプル外装１１の後端部は、芯材１０への外挿後に当該芯材１０の後端をも包み込むように閉鎖されている。このテンプル外装１１は、例えば、ゴムやシリコンなどのエラストマーによって形成することができる。
図４に示すように、本第１実施形態ではテンプル外装１１の後端部は、魚類の尾びれを連想させるような、左右方向に扁平で且つ上下方向で二股に分岐するような形状としてある。二股状の上方側へ突出する部分に、芯材１０の後端を延出させ、二股状の下方側へ突出する部分は、実質的にテンプル外装１１の形成素材だけで形成させてある。芯材１０の後端からテンプル外装１１の後端に至る部分（１４ｍｍほど）も、実質的にテンプル外装１１の形成素材だけで形成させてある。テンプル外装１１の後端部には、更に、左右方向の内面側に滑り止め用の凹凸１８を設けてある。
【００３０】
これらの構造や形状を採用することで、装着時における後頭部への圧迫感や窮屈感を和らげ、また外観的にも違和感を緩和する効果が得られることになる。テンプル５としての上下方向寸法が拡大され、捩れ防止作用が得られる利点にも繋がっている。
またテンプル外装１１の前端部は、エンドピース４の後端まで達するようになっている。従って当然に、テンプル外装１１は、芯材１０に外挿された状態として当該芯材１０の前端部に設けられた非屈曲部１５をも被覆するようになっている。
【００３１】
このテンプル外装１１は、芯材１０と略同じ形状の中子型を成形型内に設置して、成型型内へ形成素材を充填し、硬化させた後、中子型から成型品（テンプル外装１１）を引き抜くことで製造することができる。この製造時において、成形型内での中子型の位置決め及び固定のため、固定ピンを用いるが、本第１実施形態では、テンプル外装１１において左右方向の内方へ向けられる面（図４（ａ）参照）にのみ、固定ピンを設けるようにした。これにより、テンプル外装１１において左右方向の外方へ使用される面（図４（ｂ）参照）には固定ピンの配置痕（図４（ａ）の符号Ｚ参照）が発生せず、高級感やデザイン性を向上させるうえで好適なものとなっている。
【００３２】
芯材１０とテンプル外装１１との固定は、芯材１０の非屈曲部１５に対しテンプル外装１１の前端部が対応している位置で、取付ビス２０によりビス止めする構造となっている。
すなわち、エンドピース４とテンプル５（芯材１０）とをヒンジレスで一体的に連結するに際し、芯材１０へ外挿させたテンプル外装１１を熱収縮させたり、芯材１０とテンプル外装１１とを接着剤により固着させたり、或いはインサート成形や二色成形などによって芯材１０のまわりにテンプル外装１１を形成させたりする方法に比して、ビス止めの方が遙かに迅速、簡単且つ低コストの固定が行えることになる。また、眼鏡１の購入後において、テンプル外装１１の交換が可能であるため、テンプル外装１１の破損や汚損、色替えやデザイン替えにも簡単に対応できる利点がある。
【００３３】
このビス止めの構造として、芯材１０には、テンプル外装１１の前端部（非屈曲部１５）に対応する位置に左右方向へ貫通するボス孔２１が形成されている。また、テンプル外装１１には、芯材１０のボス孔２１と合致する位置に対して左右方向の内面側に内側孔２２が形成され、且つ左右方向の外面側に外側孔２３が形成されている。
そして、テンプル外装１１の内側孔２２には、芯材１０のボス孔２１へ向けて取付ビス２０が挿入される。また、テンプル外装１１の外側孔２３及び芯材１０のボス孔２１には、取付ビス２０と螺合するナット部材２５が挿入される。
【００３４】
ナット部材２５の左右方向外端には、ビス軸まわりで非回転対称となるように周外へ張り出す装飾チップ２６が設けられている。装飾チップ２６は、その外形状が外観に耐えるように装飾されている。本第１実施形態では、この装飾チップ２６を正面視した形状として楕円形を呈するものとした（図４参照）。この場合、テンプル外装１１の外側孔２３は、ナット部材２５の装飾チップ２６を回転不能に嵌め入れる開口形状に形成されている。本第１実施形態では、装飾チップ２６の外形状と同じ楕円開口とした。
【００３５】
そのため、ナット部材２５に取付ビス２０を螺合する際に、装飾チップ２６が外側孔２３内で非回転となる作用で、ナット部材２５が取付ビス２０と供回りしてしまうことがなく、その結果として、芯材１０に対するテンプル外装１１の固定が簡単に行える。
なお、装飾チップ２６が外側孔２３内に嵌り、取付ビス２０のビス頭部が内側孔２２内に嵌る構造としてあり、ナット部材２５と取付ビス２０とは、テンプル外装１１の肉を挟まない状態で（芯材１０のみを挟持して）螺合されるものとなっている。これにより、テンプル外装１１の形成素材に生じている弾力性が、ナット部材２５と取付ビス２０との螺合進行を邪魔したり、或いは緩みを誘発させたりすることを防止できる利点となっている。
【００３６】
このことから明らかなように、芯材１０とテンプル外装１１との固定を取付ビス２０によるビス止めにより行っているとはいえ、本来、取付ビス２０は、テンプル外装１１を芯材１０から抜け止めさせるためのもの、と言うことができる。従って、ナット部材２５と取付ビス２０との螺合時に、装飾チップ２６がテンプル外装１１にめり込むようなこともなく、テンプル外装１１の素材劣化や外観低下などを防止できる利点もある。
【００３７】
更に、ナット部材２５を採用することによって芯材１０に形成するボス孔２１をキリ孔（雌ねじ無し孔）にでき、ねじ切り加工を不要化できる利点にも繋がっている。
ところで、本第１実施形態では、エンドピース４からテンプル５の前端部にわたる位置に対して、フード３０を設けてある。このフード３０は、レンズ２の側方や背後からレンズ２へ射し込むようになる光を遮断するためのもので、殊に、積雪表面や水面などに反射する日光の遮断に好適となっている。
【００３８】
フード３０は、ゴムやシリコンなどのエラストマーや、金属、樹脂等、遮光性又は透過性の素材で形成することができる。透過性素材とする場合は、透明乃至着色透明のレンズや偏向レンズなどを採用することもできる。
このフード３０をテンプル５に取り付けるための構造として、図５及び図６に示すように、芯材１０にビス孔３１を設け、テンプル外装１１の前端部に、ビス孔３１に合致するビス通孔３２を設けて、テンプル５の左右方向内方からビス３３によりビス止めする構造を採用した。このようなビス止め構造を採用しているため、必要に応じてビス３３を緩め外すことによって、フード３０を取り外すことも任意に行えるものとなっている。
【００３９】
以上詳説したところから明らかなように、本発明に係る眼鏡では、装着時の位置ズレや脱落を確実に防止して安定した装着ができるものであり、またヒンジレス眼鏡とする場合にあってはテンプル５の折り畳みが困難となるのを防止し、且つ装着や取り外しが面倒になるのを防止できるものである。
本発明は、上記実施形態に限定されるものではなく、実施の形態に応じて適宜変更可能である。
【００４０】
例えば、エンドピース４がテンプル５と別部品として形成されていることは必須不可欠ではなく、互いに一体形成されたものとしてもよい。なお、エンドピース４は、左右のテンプル５，５を装着者１００の顔幅や頭部幅に合わせた相互間隔で保持させるために、フロント部３の左右両側から一旦、左方又は右方へ突出した後に、後方へ向けて屈曲する部位として定義することができる。そのため、エンドピース４とテンプル５とが一体形成される場合でも、エンドピース４としての作用（フロント部３から左方又は右方へ突出後に後方へ向けて屈曲することで、テンプル５が後方へ向くように支持する作用）は存在する。そこで、エンドピース４とテンプル５との境界が外観的に不明確である場合には、この作用の面から両者を区別してテンプル５の長さを判断するものとおく（少なくとも、テンプル５の前端部は左右方向の内方へ屈曲した部分を含まないものとする）。
【００４１】
テンプル外装１１の後端部を魚類の尾びれ状にすることは限定されるものではなく、長手方向に略同一のストレート形状などを採用することも可能である。
装飾チップ２６の形状は何ら限定されるものではなく、角形や星形などとしてもよい。
本発明は、ヒンジレス眼鏡としての実施が限定されるものではなく、エンドピース４とテンプル５とが蝶番によって屈曲自在に接続される構造としてもよい。
【００４２】
なお、フロント部３はレンズ２，２を備えるものとして説明したが、レンズ取付前の眼鏡フレームであっても、装着時にはレンズ２，２が必須不可欠となることから、本発明は眼鏡フレームにも適用されるものであることは言うまでもない。
【符号の説明】
【００４３】
１  眼鏡
２  レンズ
３  フロント部
４  エンドピース
５  テンプル
６  ブリッジ部
７  耳掛け部
１０  芯材
１１  テンプル外装
１５  非屈曲部
１６  弾性屈曲部
１７  後端補強部
１８  滑り止め用の凹凸
２０  取付ビス
２１  ボス孔
２２  内側孔
２３  外側孔
２５  ナット部材
２６  装飾チップ
３０  フード
３１  ビス孔
３２  ビス通孔
３３  ビス
３３  ビス
１００  装着者
１０１  耳
【図１】
2012226144.tif 000003
【図２】
2012226144.tif 000004
【図３】
2012226144.tif 000005
【図４】
2012226144.tif 000006
【図５】
2012226144.tif 000007
【図６】
2012226144.tif 000008